(57)【要約】【課題】緊急事態及び災害発生時に、原水から飲み水を得る。【解決手段】原水を浄水する複数個の浄水部１０と、金属板で構成され、浄水部１０が下面２１ａに取り付けられる下層配管部材２１と、金属板で構成され、下層配管部材２１の上面２１ｂに積層される上層配管部材２２とを有し、下層配管部材２１に、原水が取水される取水貫通孔２６と原水が排水される排水貫通孔２７とが形成されると共に、下層配管部材２１の上面２１ｂ又は上層配管部材２２の下面２２ａに、取水貫通孔２６と浄水部１０間、浄水部１０，１０間、浄水部１０と排水貫通孔２７間に亘って溝部２８が形成された配管部２０とを備える。【選択図】図１
2015077564.tif 000002
【特許請求の範囲】
【請求項１】
原水を浄水する複数個の浄水部と、
金属板で構成され、上記浄水部が下面に取り付けられる下層配管部材と、金属板で構成され、該下層配管部材の上面に積層される上層配管部材とを有し、該下層配管部材に、上記原水が取水される取水貫通孔と上記原水が排水される排水貫通孔とが形成されると共に、該下層配管部材の上面又は該上層配管部材の下面に、該取水貫通孔と該浄水部間、該浄水部間、該浄水部と該排水貫通孔間に亘って溝部が形成された配管部とを備えることを特徴とする緊急・災害用浄水器。
【請求項２】
上記配管部に上記原水を取水するポンプを更に備えることを特徴とする請求項１に記載の緊急・災害用浄水器。
【請求項３】
金属部材で構成され、上記原水を上記ポンプに導く第１の取水連結部と、
金属部材で構成され、上記ポンプから吐き出された原水を上記取水貫通孔を介して上記溝部に導く第２の取水連結部とを更に備えることを特徴とする請求項１又は２に記載の緊急・災害用浄水器。
【請求項４】
金属部材で構成され、上記排水貫通孔を介して上記溝部から排出された水が流入される排水連結部を更に備えることを特徴とする請求項１乃至３の何れかに記載の緊急・災害用浄水器。
【請求項５】
上記配管部は、上記下層配管部材と上記上層配管部材との間に配設され、該下層配管部材及び該上層配管部材と平面視略同じ形状及び大きさの密閉部材を更に有することを特徴とする請求項１乃至４の何れかに記載の緊急・災害用浄水器。
【発明の詳細な説明】
【技術分野】
【０００１】
本発明は、主に、緊急事態及び災害発生時に、原水から飲み水を得るための緊急・災害用浄水器に関する。
【背景技術】
【０００２】
従来から、緊急事態及び災害発生時などの飲み水が得られない状況の際に、湧水、河川水、プールの水、雨水、風呂の水などの原水から飲み水を得ることができる緊急・災害用浄水器がある（特許文献１〜３参照。）。
【０００３】
従来の緊急・災害用浄水器は、例えば、原水を浄水する浄水部と、浄水部に原水を取水するポンプと、浄水部間を配管する樹脂製のホース等で構成される樹脂管とを備える。そして、従来の緊急・災害用浄水器は、通常時は格納庫等に格納されており、緊急事態及び災害発生時などの飲み水が得られない状況の際に、格納庫等から運び出されて、ポンプによって取水された原水を浄水部によって浄水することで、原水から飲み水を得る。
【０００４】
しかしながら、従来の緊急・災害用浄水器は、樹脂製のホース等で構成される樹脂管によって浄水部間が配管されている。上述したように、従来の緊急・災害用浄水器は、長期間格納されていつ発生するか分からない使用に備えるものであり、樹脂製の配管では、時候劣化（経年劣化）等でいざという時に使用できない危険性がある。
【０００５】
更に、従来の緊急・災害用浄水器は、緊急事態及び災害発生時に使用者が樹脂管を配管する必要があり、配管に手間が掛かる。更に、この際に、配管接続箇所を接続ミスしたり、締め付けミスしたり、配管ミス及び締め付けミスによる水漏れが発生したりして、いざという時に使用できない危険性がある。
【０００６】
更に、事前に樹脂管によって浄水部間を配管した状態で格納した場合、従来の緊急・災害用浄水器は、配管が樹脂製の樹脂管であるので、運び出す際に樹脂管を引っ掛けて破損させてしまう虞があり、いざという時に使用できない危険性がある。
【０００７】
そこで、緊急・災害用浄水器は、樹脂製の樹脂管で浄水部間が配管されたものよりも、配管の時候劣化（経年劣化）等が少なく、使用可能な状態で長期間格納することができると共に、機械的強度が高く、配管が不必要であり、優れた作業性を有することが望まれている。
【先行技術文献】
【特許文献】
【０００８】
【特許文献１】特開平０９−２７６８４４号公報
【特許文献２】特開２００７−１７５６０７号公報
【特許文献３】特開平０９−１４１２５９号公報
【発明の概要】
【発明が解決しようとする課題】
【０００９】
本発明は、以上のような問題点に鑑みてなされたものであり、使用可能な状態で長期間格納することができると共に、優れた作業性を有する緊急・災害用浄水器を提供することを目的とする。
【課題を解決するための手段】
【００１０】
本発明に係る緊急・災害用浄水器は、原水を浄水する複数個の浄水部と、金属板で構成され、上記浄水部が下面に取り付けられる下層配管部材と、金属板で構成され、該下層配管部材の上面に積層される上層配管部材とを有し、該下層配管部材に、上記原水が取水される取水貫通孔と上記原水が排水される排水貫通孔とが形成されると共に、該下層配管部材の上面又は該上層配管部材の下面に、該取水貫通孔と該浄水部間、該浄水部間、該浄水部と該排水貫通孔間に亘って溝部が形成された配管部とを備える。
【００１１】
更に、上記配管部に原水を取水するポンプを更に備えるようにしても良い。
【００１２】
更に、金属部材で構成され、上記原水を上記ポンプに導く第１の取水連結部と、金属部材で構成され、上記ポンプから吐き出された原水を上記取水貫通孔を介して上記溝部に導く第２の取水連結部とを更に備えるようにしても良い。
【００１３】
更に、金属部材で構成され、上記排水貫通孔を介して上記溝部から排出された水が流入される排水連結部を更に備えるようにしても良い。
【００１４】
更に、上記配管部は、上記下層配管部材と上記上層配管部材との間に配設され、該下層配管部材及び該上層配管部材と平面視略同じ形状及び大きさの密閉部材を更に有するようにしても良い。
【発明の効果】
【００１５】
本発明の緊急・災害用浄水器は、浄水部が下面に取り付けられる下層配管部材の上面に上層配管部材が積層される配管部が、金属板で構成され、更に、下層配管部材の上面又は上層配管部材の下面に浄水部間等に亘って形成された溝部を介して浄水部間等を配管するので、樹脂製の樹脂管で浄水部間が配管されたものよりも、配管の時候劣化（経年劣化）等が少なく、使用可能な状態で長期間格納することができる。
【００１６】
更に、本発明の緊急・災害用浄水器は、配管部には浄水部間等に亘って溝部が形成され、浄水部間等が既に配管されているので、緊急事態及び災害発生時に使用者が配管する必要がなく、配管の手間を省略することができる。更に、本発明の緊急・災害用浄水器は、配管する必要がないので、配管接続箇所を接続ミスしたり、締め付けミスしたり、配管ミス及び締め付けミスによる水漏れが発生することを防止することができ、樹脂製の樹脂管で浄水部間が配管されたものよりも、作業性を向上させることができる。
【００１７】
更に、本発明の緊急・災害用浄水器は、配管部が金属板で構成されているので、樹脂管よりも、機械的強度が高く、運び出す際に破損する虞がなく、樹脂製の樹脂管で浄水部間が配管されたものよりも、作業性を向上させることができる。
【図面の簡単な説明】
【００１８】
【図１】本発明の緊急・災害用浄水器を示した斜視図である。
【図２】本発明の緊急・災害用浄水器を示した側面図である。
【図３】下層配管部材を示した平面図である。
【図４】浄水部を示した断面図である。
【図５】第１の取水連結部及び第２の取水連結部を示した正面断面図である。
【図６】第１の取水連結部及び第２の取水連結部を示した側面断面図である。
【図７】排水連結部を示した正面断面図である。
【発明を実施するための形態】
【００１９】
以下、本発明を適用した緊急・災害用浄水器について、図面を参照しながら詳細に説明する。なお、本発明は、以下の例に限定されるものではなく、本発明の要旨を逸脱しない範囲で任意に変更可能である。
【００２０】
本発明を適用した緊急・災害用浄水器１は、通常時は格納庫等に格納されており、緊急事態及び災害発生時などの飲み水が得られない状況の際に、格納庫等から運び出されて、湧水、河川水、プールの水、雨水、風呂の水などの原水を取水して浄水することで、原水から飲み水を得るものである。例えば、緊急・災害用浄水器１は、毎分３Ｌの浄水能力を有し、最大で５００Ｌまで原水から飲み水を得ることができる。
【００２１】
具体的に、緊急・災害用浄水器１は、図１及び図２に示すように、原水を浄水する複数個の浄水部１０を備える。更に、緊急・災害用浄水器１は、金属板で構成され、浄水部１０が下面２１ａに取り付けられる下層配管部材２１と、金属板で構成され、下層配管部材２１の上面２１ｂに積層される上層配管部材２２とを有し、浄水部１０，１０間を配管する配管部２０を備える。
【００２２】
浄水部１０は、図１及び図２に示すように、配管部２０の下層配管部材２１の下面２１ａに、取り外し可能に複数個取り付けられている。具体的に、下層配管部材２１の下面２１ａには、図３に示すように、濾過式の第１の浄水部１０ａが１個、長手方向の一端側で幅方向の一端側に取り付けられている。更に、下層配管部材２１の下面２１ａには、第１の浄水部１０ａよりも浄水機能が高い濾過式の第２の浄水部１０ｂが１個、長手方向の一端側で幅方向の他端側に取り付けられている。更に、下層配管部材２１の下面２１ａには、活性炭式の第３の浄水部１０ｃが２個、長手方向の中間位置に幅方向に向けて並べて取り付けられている。更に、下層配管部材２１の下面２１ａには、逆浸透膜（ＲＯ）式の第４の浄水部１０ｄが２個、長手方向の他端側に幅方向に向けて並べて取り付けられている。すなわち、下層配管部材２１の下面２１ａには、浄水部が２列３行に並べられて、合計６個取り付けられている。更に、浄水するのに掛かる時間の違いや寿命の違いを考慮して、略同じ浄水能力及び寿命となるように、第１の浄水部１０ａ及び第２の浄水部１０ｂが１個、第３の浄水部１０ｃ及び第４の浄水部１０ｄが２個取り付けられている。
【００２３】
第１の浄水部１０ａは、図４に示すように、従来公知の浄水器等に用いられている浄水機能を有する従来公知の濾過膜１１と、この濾過膜１１が収納される上端部が開口された有底筒状のハウジング１２と、ハウジング１２の上端部を閉塞すると共に、第１の浄水部１０ａを下層配管部材２１の下面２１ａに取り付けるホルダ１３とを有する。
【００２４】
濾過膜１１は、上述したように、従来公知の浄水器等に用いられている浄水機能を有する従来公知のものであれば如何なるものであっても良い。
【００２５】
ハウジング１２は、合成樹脂等で形成されており、図４に示すように、上端部が開口された有底筒状に設けられている。更に、ハウジング１２の内部には、濾過膜１１が収納されている。更に、ハウジング１２の内周面の上端部には、ネジ部１２ａが形成され、ハウジング１２を閉塞するホルダ１３が螺合される。
【００２６】
ホルダ１３は、ハウジング１２と同様に合成樹脂等で形成され、図４に示すように、円板状に設けられている。更に、ホルダ１３の外周面には、ハウジング１２のネジ部１２ａと螺合するネジ部１３ａが形成されている。したがって、ホルダ１３は、ハウジング１２のネジ部１２ａと螺合することで、ハウジング１２に取り外し可能に取り付けられると共に、ハウジング１２を密閉する。
【００２７】
更に、ホルダ１３の上面には、配管部２０から原水が流入される取水貫通孔１４が形成されている。この取水貫通孔１４は、ホルダ１３の上面の略中央部から偏倚した位置で、配管部２０の下層配管部材２１に形成された取水貫通孔２４に対応する位置に形成されている。更に、ホルダ１３の上面の取水貫通孔１４の周囲には、Ｏリング等のシール部材が収納されるシール凹部１４ａが形成されている。
【００２８】
更に、ホルダ１３の上面には、第１の浄水部１０ａから配管部２０に浄水された水が排水される排水貫通孔１５が形成されている。この排水貫通孔１５は、ホルダ１３の上面の略中央部で、配管部２０の下層配管部材２１に形成された排水貫通孔２３に対応する位置に形成されている。更に、ホルダ１３の上面の排水貫通孔１５の周囲には、Ｏリング等のシール部材が収納されるシール凹部１５ａが形成されている。
【００２９】
更に、ホルダ１３の上面には、第１の浄水部１０ａを下層配管部材２１の下面２１ａに取り付けるためのネジ孔１６が複数個形成されている。ここでは、ネジ孔１６は、図３に示すように、排水貫通孔１５を中心に平面視略円形状に配置されて、等間隔に４個形成されている。
【００３０】
以上のような構成を有する第１の浄水部１０ａは、ハウジング１２の内部に濾過膜１１を収納して、ハウジング１２にホルダ１３を螺合させて密閉し、ホルダ１３の取水貫通孔１４、排水貫通孔１５、ネジ孔１６と、下層配管部材２１の取水貫通孔２４、排水貫通孔２３、取付貫通孔２５とを対応させた後に、下層配管部材２１の上面２１ｂ側から下層配管部材２１の取付貫通孔２５を介してホルダ１３のネジ孔１６にネジ止めすることで、下層配管部材２１の下面２１ａに取り付けることができる。そして、第１の浄水部１０ａは、ホルダ１３の取水貫通孔１４からハウジング１２の内部に流入された原水を、濾過膜１１によって浄水して、ホルダ１３の排水貫通孔１５から配管部２０に排出する。
【００３１】
なお、第２の浄水部１０ｂについては、ハウジング１２の内部に第１の浄水部１０ａの濾過膜１１よりも浄水機能が高い濾過膜が収納され、原水をその濾過膜によって浄水する以外は、第１の浄水部１０ａと同様の構成を有するので、ここでは説明を省略する。更に、第３の浄水部１０ｃについても、ハウジング１２の内部に、従来公知の浄水器等に用いられている従来公知の活性炭が収納され、原水をその活性炭によって浄水する以外は、第１の浄水部１０ａと同様の構成を有するので、ここでは説明を省略する。更に、第４の浄水部１０ｄについても、ハウジング１２の内部に、従来公知の浄水器等に用いられている従来公知の逆浸透膜が収納され、原水をその逆浸透膜によって浄水する以外は、第１の浄水部１０ａと同様の構成を有するので、ここでは説明を省略する。
【００３２】
配管部２０は、図１及び図２に示すように、金属板で構成され、浄水部１０が下面２１ａに取り付けられる下層配管部材２１と、金属板で構成され、下層配管部材２１の上面２１ｂに積層される上層配管部材２２とを有している。
【００３３】
下層配管部材２１は、アルミニウム、アルミニウム合金等の金属板で構成され、図３に示すように、平面視略矩形状に設けられている。なお、下層配管部材２１は、アルミニウム、アルミニウム合金等で形成されることが好ましいが、アルミニウム、アルミニウム合金以外の軽金属、その他の金属、合成樹脂等で形成されるようにしても良い。
【００３４】
更に、図２に示すように、下層配管部材２１は、浄水部１０が下面２１ａに取り付けられている。具体的に、図３に示すように、下層配管部材２１の下面２１ａには、第１の浄水部１０ａが１個、第２の浄水部１０ｂが１個、第３の浄水部１０ｃが２個、第４の浄水部１０ｄが２個、２列３行に並べられて、合計６個取り付けられている。
【００３５】
更に、下層配管部材２１の上面２１ｂには、各浄水部１０ａ〜１０ｄの排水貫通孔１５に対応する位置に、各浄水部１０ａ〜１０ｄから原水が排出される排水貫通孔２３が形成されている。更に、下層配管部材２１の上面２１ｂには、各浄水部１０ａ〜１０ｄの取水貫通孔１４に対応する位置に、原水を各浄水部１０ａ〜１０ｄに流入する取水貫通孔２４が形成されている。更に、下層配管部材２１の上面２１ｂには、各浄水部１０ａ〜１０ｄのホルダ１３のネジ孔１６に対応するように、各排水貫通孔２３を中心に平面視略円形状に配置されて、ザグリ穴等の取付貫通孔２５が複数個形成されている。ここでは、取付貫通孔２５は、ホルダ１３のネジ孔１６と同様に、各浄水部１０ａ〜１０ｄ毎に等間隔に四個形成されている。なお、取付貫通孔２５の数及び配置位置は、これに限定されるものではなく、適宜変更可能である。
【００３６】
更に、下層配管部材２１の上面２１ｂには、長手方向の一端側の幅方向の略中央部に、原水を配管部２０の内部に取水する取水貫通孔２６が１個形成されている。更に、下層配管部材２１の下面２１ａには、原水を取水貫通孔２６を介して配管部２０の内部に取水する後述する第２の取水連結部８０を取り付けるためのネジ孔２６ａが複数個形成されている。ここでは、ネジ孔２６ａは、取水貫通孔２６を中心に平面視略円形状に配置されて、等間隔に４個形成されている。なお、ネジ孔２６ａの数及び配置位置は、これに限定されるものではなく、適宜変更可能である。
【００３７】
更に、下層配管部材２１の上面２１ｂには、長手方向の他端側の幅方向の略中央部に、原水を配管部２０の外部に排水する排水貫通孔２７が１個形成されている。更に、下層配管部材２１の下面２１ａには、原水を排水貫通孔２７を介して配管部２０の外部に排水する後述する排水連結部１００を取り付けるためのネジ孔２７ａが複数個形成されている。ここでは、ネジ孔２７ａは、２行２列に配置されて、合計４個形成されている。
【００３８】
更に、下層配管部材２１の上面２１ｂには、下層配管部材２１の下面２１ａに取り付けられた浄水部１０間を配管する溝部２８が形成されている。具体的に、溝部２８は、第１〜第５の溝部２８ａ〜２８ｅで構成されている。
【００３９】
第１の溝部２８ａは、取水貫通孔２６と第１の浄水部１０ａの取水貫通孔１４に対応する取水貫通孔２４とに亘って形成されている。なお、第１の溝部２８ａは、直線的に形成されるようにしても良く、曲線的に形成されるようにしても良い。
【００４０】
第２の溝部２８ｂは、第１の浄水部１０ａの排水貫通孔１５に対応する排水貫通孔２３と第２の浄水部１０ｂの取水貫通孔１４に対応する取水貫通孔２４とに亘って形成されている。例えば、ここでは、第２の溝部２８ｂは、略Ｓ字状に形成されている。
【００４１】
第３の溝部２８ｃは、第２の浄水部１０ｂの排水貫通孔１５に対応する排水貫通孔２３と第３の浄水部１０ｃ，１０ｃの取水貫通孔１４，１４に対応する取水貫通孔２４，２４とに亘って形成されている。具体的に、第３の溝部２８ｃは、第２の浄水部１０ｂの排水貫通孔１５に対応する排水貫通孔２３と連通する第１の分流溝と、第１の分流溝から分流して一方の第３の浄水部１０ｃの取水貫通孔１４に対応する取水貫通孔２４と連通する第２の分流溝と、第１の分流溝から分流して他方の第３の浄水部１０ｃの取水貫通孔１４に対応する取水貫通孔２４と連通する第３の分流溝とで構成されている。
【００４２】
第４の溝部２８ｄは、第３の浄水部１０ｃ，１０ｃの排水貫通孔１５，１５に対応する排水貫通孔２３，２３と第４の浄水部１０ｄ，１０ｄの取水貫通孔１４，１４に対応する取水貫通孔２４，２４とに亘って形成されている。具体的に、第４の溝部２８ｄは、一方の第３の浄水部１０ｃの排水貫通孔１５に対応する排水貫通孔２３と連通する第１の分流溝と、他方の第３の浄水部１０ｃの排水貫通孔１５に対応する排水貫通孔２３と連通する第２の分流溝と、第１の分流溝及び第２の分流溝と連通する第３の分流溝と、第３の分流溝から分流して一方の第４の浄水部１０ｄの取水貫通孔１４に対応する取水貫通孔２４と連通する第４の分流溝と、第３の分流溝から分流して他方の第４の浄水部１０ｄの取水貫通孔１４に対応する取水貫通孔２４と連通する第５の分流溝とで構成されている。
【００４３】
第５の溝部２８ｅは、第４の浄水部１０ｄ，１０ｄの排水貫通孔１５，１５に対応する排水貫通孔２３，２３と排水貫通孔２７とに亘って形成されている。具体的に、第５の溝部２８ｅは、一方の第４の浄水部１０ｄの排水貫通孔１５に対応する排水貫通孔２３と排水貫通孔２７とを連通する第１の分流溝と、他方の第４の浄水部１０ｄの排水貫通孔１５に対応する排水貫通孔２３と排水貫通孔２７とを連通する第２の分流溝とで構成されている。
【００４４】
なお、第１〜第５の溝部２８ａ〜２８ｅは、上述したもの（図３に図示したもの）に限定されるものではなく、一例であり、下層配管部材２１の下面２１ａに取り付けられた浄水部１０間を配管することができるものであれば、如何なる形状であっても良く、適宜変更可能である。
【００４５】
更に、下層配管部材２１の上面２１ｂの４隅には、下層配管部材２１の下面２１ａに取り付けられる支持部材４０をネジ止めするためのザグリ穴等の取付貫通孔２９が形成されている。したがって、下層配管部材２１は、下層配管部材２１の上面２１ｂ側から取付貫通孔２９を介して支持部材４０のネジ孔４０ａにネジ止めすることで、下層配管部材２１の下面２１ａに支持部材４０を取り付けることができる。なお、下層配管部材２１の下面２１ａには、支持部材４０を溶接等の従来公知の他の取付方法で取り付けるようにしても良い。
【００４６】
更に、下層配管部材２１の上面２１ｂには、長手方向の一端側の幅方向の両端部に、ポンプ５０を取り付けるポンプ取付部材４３が取り付けられる支持部材４２をネジ止めするためのザグリ穴等の取付貫通孔３０が形成されている。したがって、下層配管部材２１は、下層配管部材２１の上面２１ｂ側から取付貫通孔３０を介して支持部材４２のネジ孔４２ａにネジ止めすることで、下層配管部材２１の下面２１ａに支持部材４２を取り付けることができる。なお、下層配管部材２１の下面２１ａには、支持部材４２を溶接等の従来公知の他の取付方法で取り付けるようにしても良い。
【００４７】
更に、下層配管部材２１の上面２１ｂには、図２に示すように（図３においては不図示）、下層配管部材２１の上面２１ｂに積層される上層配管部材２２をネジ止めするためのネジ孔３１が複数個形成されている。したがって、下層配管部材２１は、上層配管部材２２の上面２２ｂ側から上層配管部材２２の取付貫通孔３２を介して下層配管部材２１のネジ孔３１にネジ止めすることで、上層配管部材２２を取り付けることができる。
【００４８】
上層配管部材２２は、下層配管部材２１と同様に、アルミニウム、アルミニウム合金等の金属板で形成され、図１及び図２に示すように、下層配管部材２１と同じ形状及び大きさとなるように、平面視略矩形状に設けられている。上層配管部材２２は、下層配管部材２１の上面２１ｂに積層されて設けられている。なお、上層配管部材２２は、下層配管部材２１と同様の材料で形成されることが好ましいが、下層配管部材２１と異なる、アルミニウム、アルミニウム合金以外の軽金属、その他の金属、合成樹脂等で形成されるようにしても良い。
【００４９】
更に、上層配管部材２２の上面２２ｂには、下層配管部材２１のネジ孔３１に対応する位置に、下層配管部材２１にネジ止めするためのザグリ穴等の取付貫通孔３２が形成されている。したがって、上層配管部材２２は、上層配管部材２２の上面２２ｂ側から上層配管部材２２の取付貫通孔３２を介して下層配管部材２１のネジ孔３１にネジ止めすることで、下層配管部材２１に取り付けることができる。
【００５０】
更に、配管部２０は、図２及び図４に示すように、下層配管部材２１と上層配管部材２２との間に、溝部２８を密閉する密閉部材３３が設けられている。この密閉部材３３は、例えば、シリコンゴムシート等で構成されている。更に、密閉部材３３は、下層配管部材２１及び上層配管部材２２と平面視で同じ形状及び大きさとなるように、平面視略矩形状に設けられている。すなわち、密閉部材３３は、下層配管部材２１の上面２１ｂの全面及び上層配管部材２２の下面２２ａの全面に配置される。なお、密閉部材３３は、下層配管部材２１の上面２１ｂ及び／又は上層配管部材２２の下面２２ａに接着剤や両面テープ等によって貼り付けるようにしても良い。
【００５１】
更に、密閉部材３３には、図２に示すように、下層配管部材２１のネジ孔３１に対応する位置に、上層配管部材２２を下層配管部材２１に取り付けるための締結部材が挿通される取付貫通孔３４が形成されている。
【００５２】
なお、密閉部材３３は、平面視略矩形状のゴムシートに限定されるものではなく、第１〜第５の溝部２８ａ〜２８ｅを密閉することができるものであれば良く、例えば、第１〜第５の溝部２８ａ〜２８ｅの周囲に第１〜第５の溝部２８ａ〜２８ｅの形状に沿って形成されたシール溝に収納されるＯリング等であっても良い。更に、密閉部材３３は、シリコンゴムに限定されるものではなく、ニトリルゴム、エチレンプロピレンゴム、フッ素ゴムから成るゴムシート及びＯリングであっても良い。
【００５３】
更に、図２に示すように、配管部２０の下層配管部材２１の下面２１ａの４隅には、配管部２０を支持する柱状の支持部材４０が取り付けられている。支持部材４０は、図３に示すように、上端部に、下層配管部材２１の下面２１ａにネジ止めするためのネジ孔４０ａが形成されている。したがって、支持部材４０は、ネジ孔４０ａと下層配管部材２１の取付貫通孔２９とを位置合わせさせた後に、下層配管部材２１の上面２１ｂ側から取付貫通孔２９を介してネジ孔４０ａにネジ止めすることで、下層配管部材２１の下面２１ａに取り付けることができる。なお、支持部材４０は、溶接等の従来公知の他の取付方法によって下層配管部材２１の下面２１ａに取り付けるようにしても良い。
【００５４】
更に、図２に示すように、支持部材４０の下端部には、隣接する支持部材４０との間に、板状の底板４１が設けられている。したがって、緊急・災害用浄水器１は、支持部材４０及び底板４１によって、格納庫等に格納する際及び運び出された現地で地面等に配置する際に、安定して格納及び配置することができる。なお、支持部材４０の下端部及び／又は底板４１に、キャスタを取り付け、より容易に運び出すことができるようにしても良い。
【００５５】
更に、図３に示すように、下層配管部材２１の下面２１ａの長手方向の一端部側で幅方向の両端部には、柱状の支持部材４２，４２が設けられている。更に、支持部材４２，４２間には、浄水部１０に原水を取水するポンプ５０等が取り付けられる板状のポンプ取付部材４３がネジ止め等されて取り付けられている。なお、ポンプ取付部材４３は、溶接等の従来公知の他の取付方法によって、支持部材４２，４２間に亘って取り付けられるようにしても良い。
【００５６】
ポンプ５０は、従来公知の浄水器等に用いられている従来公知のポンプ等で構成されている。ポンプ５０は、図５に示すように、従来公知のポンプ等であるので詳細な説明は省略するが、原水を吸い込む吸込口５０ａと、原水を吐き出す吐出口５０ｂとを有し、図６に示すように、ポンプ取付部材４３の一端側（外側）の一主面４３ａにネジ止め等されて取り付けられている。
【００５７】
更に、図５に示すように、ポンプ取付部材４３の一端側（外側）の一主面４３ａには、原水用ホース６０が連結されると共にポンプ５０と連結され、原水用ホース６０からの原水をポンプ５０に導く第１の取水連結部７０がポンプ５０よりも下方に取り付けられている。具体的に、第１の取水連結部７０は、柱状に設けられ、原水用ホース６０が着脱される第１の下方連結部７１と、第１の下方連結部７１の上面７１ｃに嵌合されてポンプ５０と連結される筒状の第２の下方連結部７２とを有している。これら第１の下方連結部７１及び第２の下方連結部７２は、例えば、アルミニウム又はアルミニウム合金等の金属材料で形成されている。
【００５８】
更に、図５に示すように、第１の下方連結部７１は、ポンプ取付部材４３の一主面４３ａに対向する他側面７１ｂに、配管部２０の幅方向に向けて突出するフランジ部７３が設けられている。更に、フランジ部７３には、第１の下方連結部７１をポンプ取付部材４３にネジ止めするための取付貫通孔７３ａが設けられている。したがって、第１の下方連結部７１は、図６に示すように、取付貫通孔７３ａを介してポンプ取付部材４３にネジ止めすることで、ポンプ取付部材４３に取り付けることができる。なお、第１の下方連結部７１は、溶接等の従来公知の他の取付方法によって、ポンプ取付部材４３に取り付けられるようにしても良い。
【００５９】
更に、図５に示すように、第１の下方連結部７１は、ポンプ取付部材４３の外側の一側面７１ａに、第１の孔７４ａが形成され、一側面７１ａと直交する上面７１ｃの第２の下方連結部７２が嵌合される嵌合孔７５の底面に、第１の孔７４ａと連通する第２の孔７４ｂが形成されている。すなわち、第１の下方連結部７１は、第１の孔７４ａ及び第２の孔７４ｂによって、側面視略Ｌ字状に孔が開通されている。更に、第１の孔７４ａには、原水用ホース６０を着脱自在に取り付ける取水継手７９が取り付けられている。したがって、第１の下方連結部７１は、第１の孔７４ａがポンプ取付部材４３の外側の一側面７１ａ側に向けて形成されているので、使用者は原水用ホース６０を容易に取水継手７９に差し込むことができ、簡単に配管作業を行うことができる。
【００６０】
更に、図５に示すように、第２の下方連結部７２は、金属筒部材で構成されている。更に、第２の下方連結部７２は、下端部が第１の下方連結部７１の上面７１ｃに形成された嵌合孔７５内に嵌合され、上端部がポンプ５０の吸込口５０ａ上に嵌合され、原水用ホース６０から第１の下方連結部７１に導かれた原水をポンプ５０に導く。
【００６１】
更に、第２の下方連結部７２の外周面の下端部には、Ｏリング等のリング状のシール部材が収納される環状のシール凹部７６が形成されている。したがって、第２の下方連結部７２の下端部は、第１の下方連結部７１の嵌合孔７５内に嵌合する際に、より密閉させて嵌合することができる。更に、第２の下方連結部７２の貫通孔７７の内周面の上端部には、Ｏリング等のリング状のシール部材が収納される環状のシール凹部７８が形成されている。したがって、第２の下方連結部７２の上端部は、ポンプ５０の吸込口５０ａ上に嵌合する際に、より密閉させて嵌合することができる。
【００６２】
以上のような構成を有する第１の取水連結部７０は、原水用ホース６０から導かれた原水をポンプ５０に導くことができる。
【００６３】
なお、第２の下方連結部７２は、第１の下方連結部７１と別体に形成した後に嵌合して一体に設けることに限定されるものではなく、第２の下方連結部７２の代わりに、第１の下方連結部７１の上面７１ｃに筒部を設けて、予め一体に設けるようにしても良い。更に、第１の取水連結部７０は、第２の下方連結部７２を省略して、第１の下方連結部７１だけ、すなわち、柱状の金属部材だけで構成され、上面７１ｃに第２の孔７４ｂを形成して、第２の孔７４ｂがポンプ５０の吸込口５０ａに嵌合されるようにしても良い。
【００６４】
更に、ポンプ取付部材４３の一端側（外側）の一主面４３ａには、下端部がポンプ５０と連結され、上端部が下層配管部材２１の取水貫通孔２６と連結され、ポンプ５０から吐き出された原水を下層配管部材２１の第１の溝部２８ａ（取水貫通孔２６）に導く第２の取水連結部８０がポンプ５０よりも上方に取り付けられている。第２の取水連結部８０は、アルミニウム又はアルミニウム合金等の金属筒部材で構成されている。
【００６５】
更に、第２の取水連結部８０の上端部には、外側に突出した平面視略円形状のフランジ部８１が設けられている。更に、フランジ部８１の下面には、下層配管部材２１の下面２１ａのネジ孔２６ａに対応する位置に、第２の取水連結部８０を下層配管部材２１の下面２１ａにネジ止めするためのザグリ穴等の取付貫通孔８１ａが形成されている。更に、フランジ部８１の上面には、Ｏリング等のシール部材が収納されるシール凹部８２が形成されている。したがって、第２の取水連結部８０は、フランジ部８１の下面側から取付貫通孔８１ａを介して下層配管部材２１のネジ孔２６ａにネジ止めすることで、下層配管部材２１の下面２１ａに密閉させて取り付けることができる。
【００６６】
更に、第２の取水連結部８０の貫通孔８３の内周面の下端部には、Ｏリング等のシール部材が収納される環状のシール凹部８４が形成されている。したがって、第２の取水連結部８０は、下端部がポンプ５０の吐出口５０ｂと連結される際に、より密閉させて取り付けることができる。
【００６７】
以上のような構成を有する第２の取水連結部８０は、ポンプ５０から導かれた原水を下層配管部材２１の第１の溝部２８ａ（取水貫通孔２６）に導くことができる。
【００６８】
なお、第２の取水連結部８０は、金属筒部材で構成されることに限定されるものではなく、貫通孔８３を有する角柱や円柱等の金属柱部材で構成されるようにしても良い。
【００６９】
更に、図２及び図７に示すように、下層配管部材２１の下面２１ａの長手方向の他端部には、上端部が下層配管部材２１の排水貫通孔２７と連結され、下端部が浄水用ホース９０と連結され、溝部２８から吐出された原水を浄水用ホース９０に導く排水連結部１００が取り付けられている。
【００７０】
具体的に、排水連結部１００は、アルミニウム又はアルミニウム合金等の金属柱部材で構成されている。更に、排水連結部１００は、下層配管部材２１の下面２１ａと当接する上面１００ｃに、下層配管部材２１の長手方向に向けて突出するフランジ部１０１が設けられている。更に、フランジ部１０１には、下層配管部材２１の下面２１ａのネジ孔２７ａに対応する位置に、排水連結部１００を下層配管部材２１の下面２１ａにネジ止めするための取付貫通孔１０１ａが形成されている。更に、フランジ部１０１の上面には、Ｏリング等のシール部材が収納されるシール凹部１０２が形成されている。したがって、排水連結部１００は、フランジ部１０１の下面側から取付貫通孔１０１ａを介して下層配管部材２１のネジ孔２７ａにネジ止めすることで、下層配管部材２１の下面２１ａに密閉させて取り付けることができる。なお、排水連結部１００は、溶接等の従来公知の他の取付方法によって、下層配管部材２１の下面２１ａに取り付けられるようにしても良い。
【００７１】
更に、排水連結部１００は、下層配管部材２１の長手方向の他端側（外側）の一側面１００ａに、第１の孔１０３ａが形成され、一側面１００ａと直交する上面１００ｃに、第１の孔１０３ａと連通する第２の孔１０３ｂが形成されている。すなわち、排水連結部１００は、第１の孔１０３ａ及び第２の孔１０３ｂによって、側面視略Ｌ字状に孔が開通されている。更に、第１の孔１０３ａには、浄水用ホース９０を着脱自在に取り付ける排水継手１０４が取り付けられている。したがって、排水連結部１００は、第１の孔１０３ａが下層配管部材２１の外側に向けて形成されているので、使用者は浄水用ホース９０を容易に排水継手１０４に着脱することができ、簡単に配管作業を行うことができる。
【００７２】
次に、以上のような構成を有する緊急・災害用浄水器１の使用方法について説明する。
【００７３】
先ず、緊急・災害用浄水器１は、緊急事態及び災害発生時などの飲み水が得られない状況の際に、格納庫等から運び出されて、支持部材４０及び底板４１等によって、湧水、河川水、プールの水、雨水、風呂の水などの原水が確保可能な取水対象物の近くに配置される。
【００７４】
次いで、緊急・災害用浄水器１は、図２及び図５に示すように、原水用ホース６０の一端がポンプ取付部材４３に取り付けられた第１の下方連結部７１の取水継手７９に接続される。そして、緊急・災害用浄水器１は、原水用ホース６０の他端が取水対象物内に投入される。更に、緊急・災害用浄水器１は、図２及び図７に示すように、浄水用ホース９０の一端が下層配管部材２１の下面２１ａに取り付けられた排水連結部１００の排水継手１０４に接続される。そして、緊急・災害用浄水器１は、浄水用ホース９０の他端が浄水した飲み水を収容する収容容器に差し込まれる。更に、緊急・災害用浄水器１は、ポンプ５０の電源コードを電源装置に接続し、ポンプ５０の電源を確保する。なお、電源装置は、ポンプ５０を駆動することができれば、従来公知の如何なる電源装置であっても良い。例えば、ポンプ５０は、電源コードを、１２ボルトバッテリに接続又は１２ボルトシガーソケット付きの車両等のシガーライタ穴に差し込むことで、電源を確保する。
【００７５】
次いで、緊急・災害用浄水器１は、ポンプ５０が駆動されると、取水対象物から原水が、原水用ホース６０、第１の取水連結部７０、ポンプ５０、第２の取水連結部８０を介して、下層配管部材２１の取水貫通孔２６から第１の溝部２８ａの内部に流入する。
【００７６】
次いで、緊急・災害用浄水器１は、第１の溝部２８ａの内部に流入された原水が、第１の溝部２８ａによって、第１の浄水部１０ａに対応する下層配管部材２１の取水貫通孔２４及び第１の浄水部１０ａのホルダ１３の取水貫通孔１４を介して、第１の浄水部１０ａの内部に流入される。そして、緊急・災害用浄水器１は、第１の浄水部１０ａの内部に流入された原水が第１の浄水部１０ａによって浄水される。そして、緊急・災害用浄水器１は、第１の浄水部１０ａによって浄水された水が第１の浄水部１０ａのホルダ１３の排水貫通孔１５及び下層配管部材２１の排水貫通孔２３を介して、第２の溝部２８ｂの内部に流入する。
【００７７】
次いで、緊急・災害用浄水器１は、第２の溝部２８ｂの内部に流入された水が、第２の溝部２８ｂによって、第２の浄水部１０ｂに対応する下層配管部材２１の取水貫通孔２４及び第２の浄水部１０ｂのホルダ１３の取水貫通孔１４を介して、第２の浄水部１０ｂの内部に流入される。そして、緊急・災害用浄水器１は、第２の浄水部１０ｂの内部に流入された水が第２の浄水部１０ｂによって浄水される。そして、緊急・災害用浄水器１は、第２の浄水部１０ｂによって浄水された水が第２の浄水部１０ｂのホルダ１３の排水貫通孔１５及び下層配管部材２１の排水貫通孔２３を介して、第３の溝部２８ｃの内部に流入する。
【００７８】
次いで、緊急・災害用浄水器１は、第３の溝部２８ｃの内部に流入された水が、第３の溝部２８ｃによって、第３の浄水部１０ｃに対応する下層配管部材２１の取水貫通孔２４及び第３の浄水部１０ｃのホルダ１３の取水貫通孔１４を介して、第３の浄水部１０ｃ，１０ｃの内部に流入される。そして、緊急・災害用浄水器１は、第３の浄水部１０ｃの内部に流入された水が第３の浄水部１０ｃによって浄水される。そして、緊急・災害用浄水器１は、第３の浄水部１０ｃによって浄水された水が第３の浄水部１０ｃのホルダ１３の排水貫通孔１５及び下層配管部材２１の排水貫通孔２３を介して、第４の溝部２８ｄの内部に流入する。
【００７９】
次いで、緊急・災害用浄水器１は、第４の溝部２８ｄの内部に流入された水が、第４の溝部２８ｄによって、下層配管部材２１の取水貫通孔２４及び第４の浄水部１０ｄのホルダ１３の取水貫通孔１４を介して、第４の浄水部１０ｄ，１０ｄの内部に流入される。そして、緊急・災害用浄水器１は、第４の浄水部１０ｄの内部に流入された水が第４の浄水部１０ｄによって浄水される。そして、緊急・災害用浄水器１は、第４の浄水部１０ｄによって浄水された水が第４の浄水部１０ｄのホルダ１３の排水貫通孔１５及び下層配管部材２１の排水貫通孔２３を介して、第５の溝部２８ｅの内部に流入する。
【００８０】
次いで、緊急・災害用浄水器１は、第５の溝部２８ｅの内部に流入された水が、第５の溝部２８ｅによって、下層配管部材２１の排水貫通孔２７から排水連結部１００の内部に流入される。そして、緊急・災害用浄水器１は、排水連結部１００の内部に流入された水が浄水用ホース９０を介して収容容器に収容される。
【００８１】
以上のようにして、緊急・災害用浄水器１は、緊急事態及び災害発生時などの飲み水が得られない状況の際に、湧水、河川水、プールの水、雨水、風呂の水などの原水を取水して浄水して、原水から飲み水を得る。
【００８２】
以上のように、本発明の緊急・災害用浄水器１は、浄水部１０が下面２１ａに取り付けられる下層配管部材２１の上面２１ｂに上層配管部材２２が積層される配管部２０が、金属板で構成され、更に、下層配管部材２１の上面２１ｂに浄水部１０間に亘って形成された溝部２８を介して浄水部１０間等を配管するので、樹脂管で浄水部間が配管されたものよりも、配管の時候劣化（経年劣化）等が少なく、使用可能な状態で長期間格納することができる。
【００８３】
更に、本発明の緊急・災害用浄水器１は、配管部２０には浄水部１０間等に亘って溝部２８が形成され、浄水部１０間が既に配管されているので、緊急事態及び災害発生時に使用者が配管する必要がなく、配管の手間を省略することができる。更に、本発明の緊急・災害用浄水器１は、配管が不必要であるので、配管接続箇所を接続ミスしたり、締め付けミスしたり、配管ミス及び締め付けミスによる水漏れが発生することを防止することができ、樹脂管で浄水部間が配管されたものよりも、作業性を向上させることができる。
【００８４】
更に、本発明の緊急・災害用浄水器１は、配管部２０が金属板で構成されているので、樹脂管よりも、機械的強度が高く、運び出す際に破損する虞がなく、樹脂管で浄水部間が配管されたものよりも、作業性を向上させることができる。
【００８５】
更に、本発明の緊急・災害用浄水器１は、原水用ホース６０が連結されると共にポンプ５０と連結され、原水をポンプ５０に導く第１の取水連結部７０と、ポンプ５０と連結されると共に下層配管部材２１の取水貫通孔２６と連結され、ポンプ５０から吐き出された原水を第１の溝部２８ａ（取水貫通孔２６）に導く第２の取水連結部８０とが、共に、金属部材で構成されているので、樹脂管で配管されたものよりも、配管の時候劣化（経年劣化）等が少なく、使用可能な状態で長期間格納することができる。また、緊急・災害用浄水器１は、配管の手間を省略することができ、更に、機械的強度が高く、運び出す際に破損する虞がなく、樹脂管で配管されたものよりも、作業性を向上させることができる。
【００８６】
更に、本発明の緊急・災害用浄水器１は、下層配管部材２１の排水貫通孔２７と連結されると共に浄水用ホース９０と連結され、溝部２８から吐出された原水を浄水用ホース９０に導く排水連結部１００が、金属部材で構成されているので、樹脂管で配管されたものよりも、配管の時候劣化（経年劣化）等が少なく、使用可能な状態で長期間格納することができる。また、緊急・災害用浄水器１は、配管の手間を省略することができ、更に、機械的強度が高く、運び出す際に破損する虞がなく、樹脂管で配管されたものよりも、作業性を向上させることができる。
【００８７】
なお、緊急・災害用浄水器１は、下層配管部材２１の上面２１ｂに溝部２８が形成されることに限定されるものではなく、上層配管部材２２の下面２２ａに溝部２８が形成されるようにしても良い。
【００８８】
このような場合であっても、緊急・災害用浄水器１は、下層配管部材２１の上面２１ｂに溝部２８が形成された際と同様に、樹脂管で浄水部間が配管されたものよりも、配管の時候劣化（経年劣化）等が少なく、使用可能な状態で長期間格納することができる。また、緊急・災害用浄水器１は、下層配管部材２１の上面２１ｂに溝部２８が形成された際と同様に、配管の手間を省略することができ、更に、機械的強度が高く、運び出す際に破損する虞がなく、樹脂管で浄水部間が配管されたものよりも、作業性を向上させることができる。
【００８９】
更に、緊急・災害用浄水器１は、上層配管部材２２と下層配管部材２１とがネジ止めされて取り付けられる際に、上層配管部材２２の下面２２ａにネジ孔が形成され、下層配管部材２１の下面２１ａに取付貫通孔が形成され、上層配管部材２２と下層配管部材２１とが、下層配管部材２１の下面２１ａ側から下層配管部材２１の取付貫通孔を介して上層配管部材２２のネジ孔にネジ止めすることで、取り付けられるようにしても良い。このような場合、上層配管部材２２の上面２２ｂには、貫通孔や凹部等が一切設けられず、美観の向上を図ることができる。
【００９０】
更に、緊急・災害用浄水器１は、下層配管部材２１の下面２１ａに、第１の浄水部１０ａ及び第２の浄水部１０ｂが１個、第３の浄水部１０ｃ及び第４の浄水部１０ｄが２個取り付けられているが、これに限定されるものではなく、各浄水部１０の取り付ける数は、使用する各浄水部１０の浄水能力及び寿命等に応じて適宜変更可能であり、例えば、第１の浄水部１０ａ及び第２の浄水部１０ｂが２個以上、第３の浄水部１０ｃ及び第４の浄水部１０ｄが１個又は３個以上取り付けられるようにしても良い。
【００９１】
更に、緊急・災害用浄水器１は、下層配管部材２１の下面２１ａに、第１の浄水部１０ａ、第２の浄水部１０ｂ、第３の浄水部１０ｃ及び第４の浄水部１０ｄの全てが取り付けられることに限定されるものではなく、これらの内の少なくとも１個が取り付けられていれば良い。
【符号の説明】
【００９２】
１  緊急・災害用浄水器、１０  浄水部、１０ａ  第１の浄水部、１０ｂ  第２の浄水部、１０ｃ  第３の浄水部、１０ｄ  第４の浄水部、１１  濾過膜、１２  ハウジング、１２ａ  ネジ部、１３  ホルダ、１３ａ  ネジ部、１４  取水貫通孔、１４ａ  シール凹部、１５  排水貫通孔、１５ａ  シール凹部、１６  ネジ孔、２０  配管部、２１  下層配管部材、２１ａ  下面、２１ｂ  上面、２２  上層配管部材、２２ａ  下面、２２ｂ  上面、２３  排水貫通孔、２４  取水貫通孔、２５  取付貫通孔、２６  取水貫通孔、２６ａ  ネジ孔、２７  排水貫通孔、２７ａ  ネジ孔、２８  溝部、２８ａ  第１の溝部、２８ｂ  第２の溝部、２８ｃ  第３の溝部、２８ｄ  第４の溝部、２８ｅ  第５の溝部、２９  取付貫通孔、３０  取付貫通孔、３１  ネジ孔、３２  取付貫通孔、３３  密閉部材、３４  取付貫通孔、４０  支持部材、４０ａ  ネジ孔、４１  底板、４２  支持部材、４２ａ  ネジ孔、４３  ポンプ取付部材、４３ａ  一主面、５０  ポンプ、５０ａ  吸込口、５０ｂ  吐出口、６０  原水用ホース、７０  第１の取水連結部、７１  第１の下方連結部、７１ａ  一側面、７１ｂ  他側面、７１ｃ  上面、７２  第２の下方連結部、７３  フランジ部、７３ａ  取付貫通孔、７４ａ  第１の孔、７４ｂ  第２の孔、７５  嵌合孔、７６  シール凹部、７７  貫通孔、７８  シール凹部、７９  取水継手、８０  第２の取水連結部、８１  フランジ部、８１ａ  取付貫通孔、８２  シール凹部、８３  貫通孔、８４  シール凹部、９０  浄水用ホース、１００  排水連結部、１００ａ  一側面、１００ｃ  上面、１０１  フランジ部、１０１ａ  取付貫通孔、１０２  シール凹部、１０３ａ  第１の孔、１０３ｂ  第２の孔、１０４  排水継手
【図１】
2015077564.tif 000003
【図２】
2015077564.tif 000004
【図３】
2015077564.tif 000005
【図４】
2015077564.tif 000006
【図５】
2015077564.tif 000007
【図６】
2015077564.tif 000008
【図７】
2015077564.tif 000009